(57)【要約】【課題】収納容器内に収納した袋又はごみ袋の取手部と綴代が、Ｕターン状に引掛け係止されて容易に離脱せず、前記袋等の取出し時には、容体が外側方に展開し、取出し後は２つの半截状容体が自重により復元する。【解決手段】２つの対称的な半截状容体の下方部に底部及び脚部が夫々形成され、上方開口部には合成樹脂製袋の綴代を引掛け係止する切込み部が形成され、囲み壁部の左端縁部と右端縁部の外側近傍にはフックを形成せしめ、底側接続部が組立接続されると、半截状容体の内側開口部が対向し半截状容体の開口側接続部が接続し組立てられ、組立てられた収納容器内にセットされた合成樹脂製袋に種々の物品もしくはごみ類が投入後、合成樹脂製袋を取出すと２つの半截状容体が、底側接続部を支点に外側方向に展開し、同時に脚部が内側に動作し、袋の取り出した後は自重により復元する収納容器及びごみ袋体の収納容器である。【選択図】    図１
2018012585.tif 000002
【特許請求の範囲】
【請求項１】
２つの対称的な半截状容体を組立てた合成樹脂製袋体の収納容器及び合成樹脂製ごみ袋体の収納容器において、
前記半截状容体は、前記半截状容体を構成する囲み壁部の左端縁部と右端縁部間には内側開口部が形成され、前記囲み壁部の上方部には上方開口部が且つ下方部には底部及び脚部が夫々形成され、上方開口部には合成樹脂製袋の綴代をＵ字状に２ヶ所で引掛け係止する切込み部が形成され、前記囲み壁部の左端縁部と右端縁部の外側近傍にはフックを、前記左端縁部と右端縁部に開口側接続部を形成せしめ、前記囲み壁部の底部には底側接続部を形成せしめ、前記底側接続部が組立接続されると、前記２つの対称的な半截状容体の内側開口部が対向し前記半截状容体の開口側接続部が接続し組立てられると共に、組立てられた収納容器内にセットされた合成樹脂製袋に種々の物品もしくはごみ類が投入された後、前記合成樹脂製袋を取出すと前記２つの半截状容体が、前記底側接続部を支点に外側方向に展開し、脚部が内側方に動作し、前記合成樹脂製袋を出した後、自重により脚部が復元することを特徴とする合成樹脂製袋体の収納容器及び合成樹脂製ごみ袋体の収納容器。
【請求項２】
前記半截状容体の底部の重心の真下又は外側又は内側に脚部を設け復元することを特徴とする請求項１に記載の合成樹脂製袋体の収納容器及び合成樹脂製ごみ袋体の収納容器。
【請求項３】
前記切込み部が、前記囲み壁部の上部及び挿入側を広く、退出側を狭くＹ字状にて形成せしめ、２つ又は複数とし、Ｕ字状又はＳ字状にて引掛け係止することを特徴とする請求項１又は２に記載の合成樹脂製袋体の収納容器及び合成樹脂製ごみ袋体の収納容器。
【請求項４】
前記切込み部が、前記上方開口部より底部方向に、上方部の幅員を最初の幅員を広くし、次に狭くと、広くと狭くを交互に連続して形成せしめられることを特徴とする請求項１又は２又は３に記載の合成樹脂製袋体の収納容器及び合成樹脂製ごみ袋体の収納容器。
【請求項５】
前記フックが、複数形成されていることを特徴とする請求項１又は２又は３又は４に記載の合成樹脂製袋体の収納容器及び合成樹脂製ごみ袋体の収納容器。
【請求項６】
前記合成樹脂製袋体の収納容器及び合成樹脂製ごみ袋体の収納容器を構成する半截状容体の上方開口部に、蓋体が、蓋体を構成する枠部に装着せしめられている蓋開閉桟構によって開閉できるように嵌脱自在に付設されていることを特徴とする請求項１又は２又は３又は４又は５に記載の合成樹脂製袋体の収納容器及び合成樹脂製ごみ袋体の収納容器。
【請求項７】
請求項６に記載の蓋体の蓋開閉桟構は、前記蓋体を開閉操作するハンドルとスプリングを取付けたレバー軸を、枠部外側方に突設せしめ、手動により大きく開くことを特徴とする請求項１又は２又は３又は４又は５又は６に記載の合成樹脂製袋体の収納容器及び合成樹脂製ごみ袋体の収納容器。
【請求項８】
請求項６の蓋体の内側部に、子袋が取外し自在となっていることを特徴とする請求項１又は２又は３又は４又は５又は６又は７に記載の合成樹脂製袋体の収納容器及び合成樹脂製ごみ袋体の収納容器。
【請求項９】
前記囲み壁部１、１は、上方開口部５から底部６にかけて、外側方に突出する補強リブを形成せしめていることを特徴とする請求項１又は２又は３又は４又は５又は６又は７又は８に記載の合成樹脂製袋体の収納容器及び合成樹脂製ごみ袋体の収納容器。
【請求項１０】
２つの対称的な半截状容体を組立てた合成樹脂製袋体の収納容器及び合成樹脂製ごみ袋体の収納容器において、
前記半截状容体は、前記半截状容体を構成する囲み壁部の左端縁部と右端縁部間には内側開口部が形成され、前記囲み壁部の上方部には上方開口部が且つ下方部には底部及び脚部が夫々形成され、上方開口部には合成樹脂製袋の綴代を引掛け係止する切込み部が形成され、前記囲み壁部の左端縁部と右端縁部の外側近傍にはフックを、前記左端縁部と右端縁部に開口側接続部を形成せしめ、前記囲み壁部の底部には底側接続部を形成せしめ、前記底側接続部が組立接続されると、前記２つの対称的な半截状容体の内側開口部が対向し前記半截状容体の開口側接続部が接続し組立てられると共に、組立てられた収納容器内にセットされた合成樹脂製袋に種々の物品もしくはごみ類が投入された後、前記合成樹脂製袋を取出すと前記２つの半截状容体が、前記底側接続部を支点に外側方向に展開し、同時に脚部も動作し、合成樹脂製袋を取り出した後は、自重により脚部が復元することを特徴とする合成樹脂製袋体の収納容器及び合成樹脂製ごみ袋体の収納容器。
【請求項１１】
前記半截状容体の底部の重心の真下の適度な位置に、脚部を設けることを特徴とする請求項１０に記載の合成樹脂製袋体の収納容器及び合成樹脂製ごみ袋体の収納容器。
【請求項１２】
前記切込み部が、上部及び挿入側を広く、退出側を狭くＶ字状にて形成せしめ、２つ前記切込み部が、上部及び挿入側を広く、退出側を狭くＶ字状にて形成せしめ、２つ又は複数とし、Ｕ字状又はＳ字状にて引掛け係止することを特徴とする請求項１０又は１１に記載の合成樹脂製袋体の収納容器及び合成樹脂製ごみ袋体の収納容器。
【請求項１３】
前記半截状容器の底部に開口接続パイプ又はチューブを設けたことを特徴とする請求項１０又は１１又は１２に記載の合成樹脂製袋体の収納容器及び合成樹脂製ごみ袋体の収納容器。
【発明の詳細な説明】
【技術分野】
【０００１】
本発明は、合成樹脂製袋体の収納容器及び合成樹脂製ごみ袋体の収納容器の分野に関するものである。
【背景技術】
【０００２】
従来、分別袋掛用ごみ箱として実用新案登録第３１０２９６８号公報（特許文献１）が開示されている。
【０００３】
この公報に記載されている分別袋掛用ごみ箱は、上部に一つ以上の袋掛フック１を有する、凹面形状をしたパネル２、３を２枚、向かい合わせに組み合わせ、側面左右下端に一つの回転軸７を設けて結合、若しくは一つの回転軸７を設けフレームを介して前後パネル２、３を固定し、その回転軸７位置を側面中央より手前に設け、且つ回転軸７周りにスプリング８等の弾性材料を用い、パネル２、３を閉じる方向に作用させて袋が直接目に入らないようにした分別用袋掛けごみ箱で、手前パネル下端に踏込みペダル５を設けた分別袋掛用ごみ箱である。
【０００４】
上記分別袋掛用ごみ箱は、第１に、ごみ収納袋の取手部分だけが袋掛フック１に引掛けられているだけで綴代を引掛けることができない構造をしている。
【０００５】
第２として、同上のごみ箱は、前後パネル２、３の上方開口部を開くには、前後パネル２、３の下方底部に設けられているペダル５、５を足で踏まなければならない構造である。
【０００６】
第３として、前記ごみ箱は、前記袋が該袋内に大量のごみ類が収納された後、前後パネル２、３から袋を取り出すには、ペダル５を足で踏まないと取出しができない構造である。
【０００７】
第４として、前記ごみ箱は、前後パネル２、３に補強用リブが設けられていない構造である。
【０００８】
第５に、前記ごみ箱は、前後パネル２、３の上方部には、ごみを投入するための開口部が設けられていない構造である。
【０００９】
第６として、前記ごみ箱は、前後パネル２、３の側面左右下端に一つの回転軸７を設け、該軸７の周りにスプリング８等の弾性材料を用いて、パネルを閉じる方向に作用させること、ペダル５の踏込時にはパネル下端を接地支点にして開閉する複雑な構造である。
【００１０】
第７として、前記ごみ箱は、前後パネル２、３の対向する側面開口部に前後パネル２、３を接続させる接続桟構がない。
【先行技術文献】
【特許文献】
【００１１】
【特許文献１】実用新案登録第３１０２９６８号公報
【発明の概要】
【発明が解決しようとする課題】
【００１２】
本発明が解決しようとする課題は以下のとおりである。
【００１３】
第１に、本発明は、合成樹脂製袋体の収納容器及び合成樹脂製ごみ袋体の収納容器内に挿入せしめられた合成樹脂製袋もしくは合成樹脂製ごみ袋の左右両サイドにして、且つ対向する取手部と、対向する綴代が、確実に引掛けられ、殊に前記綴代が前記袋内に種々の物品もしくはごみ類が投入されても、前記収納容器から離脱することなく、強固に引掛る構造とした。
【００１４】
第２に、本発明は、半截状容体を左右対称とすることによって、１個の金型で製造することができるようにして、金型代を節約することができると共に、該収納容器の製造費を節減して安価に製造することができるようにした。
【００１５】
第３に、本発明は、２つの半截状容体を積重し空間占拠率を小さくして収納箱をコンパクトにした。そのため運賃を節減せしめた。
【００１６】
第４に、本発明は、２つの対称的な半截状容体が組立てられると、組立てられた収納容器が自重で閉じる構造にすると共に、前記収納容器内に挿入された袋内にごみ類等が投入された後、袋を収納容器から取出そうとして、取手部と綴代を外し、前記袋を取出すと、２つの半截状容体が外側方に開き袋を極めて容易に前記収納容器から取り出すことができるようにした。
【００１７】
第５に、本発明は、合成樹脂製袋の対向する綴代が切込み部にＵターン状に挿込むことができるようにして、収納容器内にセットされた際に、前記袋内に種々の物品もしくはごみ類が投入され重くなったとしても、離脱したりしない構造とした。
【００１８】
第６に、本発明は、対称的な半截状容体の中央部にして、且つ上方開口部から底部にかけて外側方に突出する補強リブを形成して、容体の強度を図った。
【００１９】
第７に、本発明は、組立てた収納容器の上方開口部に蓋開閉桟構付き蓋体を設けて外観上の美感を確保せしめると共に、前記蓋体の開閉がスムーズにできるようにした。
【００２０】
第８に、本発明は、蓋体の裏面部に合成樹脂製子袋を着脱自在に取付けて生ごみ類を収納せしめると共に、容器内にセットされる合成樹脂製袋内に一般ごみと生ごみとの分別を図り、且つ衛生面にも考慮した。
【００２１】
第９に、本発明は、対称的な半截状容体の外側近傍の囲み壁部に、フックを複数突設せしめて、合成樹脂製袋のサイズ違いにも十分対応せしめた。
【００２２】
第１０に、本発明は、対称的な半截状容体の底部に脚部を突設せしめることによって、合成樹脂製袋を収納容器から取り出そうとして引き上げると、収納されている諸々の物品もしくはごみ類の拡張によって袋が膨張し、前記袋の持ち上げ時に対称的な半截状容体の内側部を押して前記半截状容体を外側方に展開し取出し作業をスムーズにせしめると共に、前記袋が取出された後は、自動的に閉じるようにした。
【課題を解決するための手段】
【００２３】
課題を解決するための手段として、請求項１に記載の発明は、２つの対称的な半截状容体ａ、ｂを組立てた合成樹脂製袋体の収納容器及び合成樹脂製ごみ袋体の収納容器Ａにおいて、
前記半截状容体ａ、ｂは、前記半截状容体ａ、ｂを構成する囲み壁部１の左端縁部２と右端縁部３間には内側開口部４が形成され、前記囲み壁部１の上方部には上方開口部５が且つ下方部には底部６及び脚部１３が夫々形成され、上方開口部５には合成樹脂製袋ｃの綴代７をＵ字状に２ヶ所で引掛け係止する切込み部８が形成され、前記囲み壁部１の左端縁部２と右端縁部３の外側近傍にはフック９、１０を、前記左端縁部２と右端縁部３に開口側接続部１１、１１を形成せしめ、前記囲み壁部１の底部６には底側接続部１２、１２を形成せしめ、前記底側接続部１２、１２が組立接続されると、前記２つの対称的な半截状容体ａ、ｂの内側開口部４が対向し前記半截状容体ａ、ｂの開口側接続部１１、１１が接続し組立てられると共に、組立てられた収納容器Ａ内にセットされた合成樹脂製袋ｃに種々の物品もしくはごみ類が投入された後、前記合成樹脂製袋ｃを取出すと前記２つの半截状容体ａ、ｂが、前記底側接続部１２、１２を支点に外側方向に展開し、脚部１３が内側方に動作し、前記合成樹脂製袋を出した後、自重により脚部１３が復元することを特徴とする合成樹脂製袋体の収納容器及び合成樹脂製ごみ袋体の収納容器である。
【００２４】
課題を解決するための手段として、請求項２に記載の発明は、前記半截状容体ａ、ｂの底部６の重心の真下又は外側又は内側に脚部１３を設け復元することを特徴とする請求項１に記載の合成樹脂製袋体の収納容器及び合成樹脂製ごみ袋体の収納容器である。  
【００２５】
課題を解決するための手段として、請求項３に記載の発明は、前記切込み部８が、前記囲み壁部１の上部及び挿入側を広く、退出側を狭くＹ字状にて形成せしめ、２つ又は複数とし、Ｕ字状又はＳ字状にて引掛け係止することを特徴とする請求項１又は２に記載の合成樹脂製袋体の収納容器及び合成樹脂製ごみ袋体の収納容器である。
【００２６】
課題を解決するための手段として、請求項４に記載の発明は、前記切込み部８が、前記上方開口部５より底部６方向に、上方部の幅員を最初の幅員を広くし、次に狭くと、広くと狭くを交互に連続して形成せしめられることを特徴とする請求項１又は２又は３に記載の合成樹脂製袋体の収納容器及び合成樹脂製ごみ袋体の収納容器である。
【００２７】
課題を解決するための手段として、請求項５に記載の発明は、前記フック９、１０が、複数形成されていることを特徴とする請求項１又は２又は３又は４に記載の合成樹脂製袋体の収納容器及び合成樹脂製ごみ袋体の収納容器である。
【００２８】
課題を解決するための手段として、請求項６に記載の発明は、前記合成樹脂製袋体の収納容器及び合成樹脂製ごみ袋体の収納容器Ａを構成する半截状容体ａ、ｂの上方開口部５、５に、蓋体１６、１７が、蓋体１６、１７を構成する枠部１８に装着せしめられている蓋開閉桟構１９によって開閉できるように嵌脱自在に付設されていることを特徴とする請求項１又は２又は３又は４又は５に記載の合成樹脂製袋体の収納容器及び合成樹脂製ごみ袋体の収納容器である。
【００２９】
課題を解決するための手段として、請求項７に記載の発明は、請求項６に記載の蓋体１６、１７の蓋開閉桟構１９は、前記蓋体１６、１７を開閉操作するハンドル２０ａとスプリング２１を取付けたレバー軸２０を、枠部１８外側方に突設せしめ、手動により大きく開くことを特徴とする請求項１又は２又は３又は４又は５又は６に記載の合成樹脂製袋体の収納容器及び合成樹脂製ごみ袋体の収納容器である。
【００３０】
課題を解決するための手段として、請求項８に記載の発明は、請求項６の蓋体１６、１７の内側部に、子袋２２が取外し自在となっていることを特徴とする請求項１又は２又は３又は４又は５又は６又は７に記載の合成樹脂製袋体の収納容器及び合成樹脂製ごみ袋体の収納容器である。
【００３１】
課題を解決するための手段として、請求項９に記載の発明は、前記囲み壁部１、１は、上方開口部５から底部６にかけて、外側方に突出する補強リブ２３を形成せしめていることを特徴とする請求項１又は２又は３又は４又は５又は６又は７又は８に記載の合成樹脂製袋体の収納容器及び合成樹脂製ごみ袋体の収納容器である。
【００３２】
課題を解決するための手段として、請求項１０に記載の発明は、２つの対称的な半截状容体ｄ、ｅを組立てた合成樹脂製袋体の収納容器及び合成樹脂製ごみ袋体の収納容器Ｂにおいて、
前記半截状容体ｄ、ｅは、前記半截状容体ｄ、ｅを構成する囲み壁部１ａの左端縁部２ａと右端縁部３ａ間には内側開口部４ａが形成され、前記囲み壁部１ａの上方部には上方開口部５ａが且つ下方部には底部６ａ及び脚部１３ａが夫々形成され、上方開口部５ａには合成樹脂製袋ｃの綴代７ａを引掛け係止する切込み部８ａが形成され、前記囲み壁部１ａの左端縁部２ａと右端縁部３ａの外側近傍にはフック９ａ、１０ａを、前記左端縁部２ａと右端縁部３ａに開口側接続部１１ａ、１１ａを形成せしめ、前記囲み壁部１ａの底部６ａには底側接続部１２ａ、１２ａを形成せしめ、前記底側接続部１２ａ、１２ａが組立接続されると、前記２つの対称的な半截状容体ｄ、ｅの内側開口部４ａが対向し前記半截状容体ｄ、ｅの開口側接続部１１ａ、１１ａが接続し組立てられると共に、組立てられた収納容器Ｂ内にセットされた合成樹脂製袋ｃに種々の物品もしくはごみ類が投入された後、前記合成樹脂製袋ｃを取出すと前記２つの半截状容体ｄ、ｅが、前記底側接続部１２ａ、１２ａを支点に外側方向に展開し、同時に脚部１３ａも動作し、合成樹脂製袋ｃを取り出した後は、自重により脚部１３ａが復元することを特徴とする合成樹脂製袋体の収納容器及び合成樹脂製ごみ袋体の収納容器である。
【００３３】
課題を解決するための手段として、請求項１１に記載の発明は、前記半截状容体ｄ、ｅの底部６ａの重心の真下の適度な位置に、脚部１３ａを設けることを特徴とする請求項１０に記載の合成樹脂製袋体の収納容器及び合成樹脂製ごみ袋体の収納容器である。
【００３４】
課題を解決するための手段として、請求項１２に記載の発明は、前記切込み部８ａが、上部及び挿入側を広く、退出側を狭くＶ字状にて形成せしめ、２つ又は複数とし、Ｕ字状又はＳ字状にて引掛け係止することを特徴とする請求項１０又は１１に記載の合成樹脂製袋体の収納容器及び合成樹脂製ごみ袋体の収納容器である。
【００３５】
課題を解決するための手段として、請求項１３に記載の発明は、前記半截状容器ｄ、ｅの底部６ａに開口接続パイプ１１ｃ又はチューブを設けたことを特徴とする請求項１０又は１１又は１２に記載の合成樹脂製袋体の収納容器及び合成樹脂製ごみ袋体の収納容器である。
【発明の効果】
【００３６】
本発明の合成樹脂製袋体の収納容器及び合成樹脂製ごみ袋体の収納容器は、前記のとおりの構造を有しているので、該容器内に広げられ拡大した袋の取手部が、フックに確実に引掛けられ、且つ綴代が切込み部に引掛け係止されて、前記袋内に種々の物品もしくはごみ類が挿入されても、前記取手部及び綴代がフックもしくは引掛け部から離脱しない利点がある。
【００３７】
さらに、本発明の合成樹脂製袋体もしくは合成樹脂製ごみ袋体の収納容器は、２つの半截状容体が対称的な構造をしているので、金型は１個で足りる。そのため金型代を節減し製品を安価に製造することができる利点がある。
【００３８】
本発明の収納容器は、２つの半截状容体を積重することができるので、空間占拠率を小さくし、コンパクトにして収納箱に収納し搬送できる。そのため運賃が節減できる。
【００３９】
本発明の収納容器は、該容器内に広げられて挿入された袋内に種々の物品もしくはごみ類が挿入された後、フックと引掛け部の引掛け係止を解除し該袋を取出すだけで、該収納容器の底部の接続部を支点にして、２つの半截状容体の上方開口部同士が脚部及び接続部での開角度の設定により任意な位置とし、袋が極めて容易に引き出しができる。
【００４０】
さらに、本発明の収納容器は、前記袋の取出し後、２つの半截状容体の上方開口部が展開から自動的に復元する利点がある。
【００４１】
本発明の収納容器は、対向する半截状容体に切込み部が形成されているので、袋の綴代をＵターン状に挿込むことができる。そのため袋内に種々の物品やごみ類が投入され重くなっても容易に離脱したりしない利点がある。
【００４２】
本発明の収納容器は、半截状容体の中央部にして、且つ上方開口部から底部にかけて外側方及び内側に突出する補強リブ部を形成したので、該容体の強度を著しく高めることができた。
【００４３】
本発明の収納容器は、上方開口部に蓋体を着脱可能に設けたので、外観上の美感を確保せしめた。
【００４４】
本発明の収納容器は、蓋体の裏面部に生ごみ用子袋を着脱自在に取付けたので、生ごみ類と生ごみ以外の一般のごみ類と分別を図ることができると共に、衛生面にも考慮することができる。
【００４５】
本発明の収納容器は、半截状容体の囲み壁部の左端縁部と右端縁部の外側近傍にフックを複数突設したので、袋のサイズ違いに十分対応できるようにした。
【００４６】
本発明の収納容器は、半截状容体の底部に脚部を２つの容体が常時閉じた状態を確保するように突設せしめたので、袋が該容器内に開げられた状態で収納中は、２つの容体の対向側面部が密着し、いわゆる収納容器としての機能を発揮できる正常な状態を確保すると共に、復元できる機能を有している。
【図面の簡単な説明】
【００４７】
【図１】本発明の合成樹脂製袋体の収納容器及び合成樹脂製ごみ袋体の収納容器の稍展開している状態の斜視図である。
【００４８】
【図２】同図１の収納容器の要部の一部切欠拡大横断面図である。
【００４９】
【図３】同図１の収納容器の要部の一部切欠拡大正面図である。
【００５０】
【図４】同図１の収納容器の蓋体を被せた状態の斜視図である。
【００５１】
【図５】同図４の収納容器から蓋体を展開した状態の斜視図である。
【００５２】
【図６】同収納容器における被せた蓋体の一部切欠平面図である。
【００５３】
【図７】同図６における収納容器の蓋体の展開状態を示す側面図である。
【００５４】
【図８】同第２実施例の線材製収納容器の斜視図である。
【００５５】
【図９】同図８の収納容器の縦断正面図である。
【００５６】
【図１０】同図８の収納容器の一部切欠平面図である。
【発明を実施するための最良の形態】
【００５７】
本発明である請求項１〜１３に記載の発明に関する実施の形態は、共通しているので、以下のとおり一括して説明する。
【００５８】
（実施例の１）
図において、Ａは２つの対称的な半截状容体ａ、ｂを組立てた合成樹脂製袋体の合成樹脂製収納容器及び合成樹脂製ごみ袋体の合成樹脂製収納容器である。
【００５９】
実施例の１としての前記半截状容体ａ、ｂは、図１、３に図示されているように合成樹脂製にして、半截状容体が対称的な形状であるから１個の金型で形成できる。
【００６０】
さらに、前記半截状容体ａ、ｂは、通常平面からみてコ形状の囲み壁部１を有し、この囲み壁部１の左右両サイドに左端縁部２と右端縁部３が同一の長さにて延設されている。そして前記左端縁部２と右端縁部３の端面部は平面状にて形成されている。
【００６１】
４は前記囲み壁部１の左端縁部２と右端縁部３との間に形成された内側開口部である。
【００６２】
５は前記囲み壁部の上方部に形成された上方開口部である。
【００６３】
６は前記囲み壁部１の下方部に、囲み壁部１に対し、内側方に折曲形成された底部である。
【００６４】
本発明は、囲み壁部１の上方開口部５に、合成樹脂製袋ｃの綴代７を引掛け係止する切込み部８が複数形成されている。
【００６５】
さらに、前記切込み部８の形態は、図２、３に図示するように、第１に、前記囲み壁部１の内側部１４を広く、外側部１５を狭くするＶ形状にて形成せしめる。
【００６６】
他の実施例として、前記切込み部８の幅員は、第２の実施形態として、前記上方開口部５より底部６方向に、上方部の幅員を最初の幅員を広くし、次に狭くと、広くと狭くを交互に連続して形成せしめることもできる。
【００６７】
さらに、本発明の切込み部８の第３の実施形態として、前記第１、第２の実施形態を合体した構成にしたものでも良い。
【００６８】
前記切込み部８に対し、前記合成樹脂製袋ｃの綴代７を引掛け係止するときは、Ｕ字状又はＳ字状にて引掛け係止する。
【００６９】
図において、９及び１０は前記囲み壁部１の左端縁部２と右端縁部３の外側近傍の囲み壁部１に複数形成せしめた通常下向き形状のフックである。
【００７０】
該フック９、１０は、合成樹脂製袋ｃの引掛け部７ａが長くても短くても十分対応して引掛け使用することができるように形成した。通常片側に２個宛の計４個を設ける。
【００７１】
図において、１１、１１は前記半截状容体ａ、ｂを構成する左右両側方の囲み壁部１の左端縁部２と右端縁部３に夫々形成せしめた開口側接続部である。
【００７２】
前記左右両側方の開口側接続部１１、１１は、前記半截状容体ａ、ｂが組立てられる際に、嵌合する形状にて形成されている。
【００７３】
図において、１２、１２は、前記半截状容体ａ、ｂの囲み壁部１、１の底部６に形成せしめた底側接続部である。該底側接続部１２、１２は、前記半截状容体ａ、ｂが組立てられる際に、図１に図示するように相互に嵌め込み式にして、ピン等を挿込んで組立てるようにしてもよい。この底側接続部１２、１２に関する接続方式は、従来の慣用技術で足りるので、その具体的説明は省略する。
【００７４】
１３は前記半截状容体ａ、ｂの底部６の重心の真下又は外側又は内側に形成した脚部である。
【００７５】
前記の部位に脚部１３を形成することによって、開口部の開くと閉じるの優先度合を設定することができる。閉じるを重要とする場合は、前記半截状容体ａ、ｂ、左及び右端縁部の各々の重心の真下よりいくらか外側の適度な位置とし、自重により自然に合わさり組立てられる。
【００７６】
図において、２３は、前記囲み壁部１の上方開口部５から底部６にかけて、外側方に突出する補強リブであって、この補強リブ２３を設けることによって、囲み壁部１の強度は著しく高められる。２５は補強ガイドである。
【００７７】
図において、１６、１７は蓋体であって、以下の構成からなっている。
【００７８】
前記蓋体１６、１７は、枠部１８に装着の蓋開閉桟構１９を付設せしめ、組立てられると、左右は上下に振れ、開閉自在になっている。
【００７９】
さらに、前記蓋開閉桟構１９につき説明する。
【００８０】
この蓋開閉桟構１９は、蓋体１６、１７の裏面に装着せしめられているハンドル２０ａと、さらにレバー軸２０に接続する接続部２０ｂによって接続されている。２０ｃはカムレバーである。
【００８１】
さらに、前記ハンドル２０ａ及びレバー軸２０は、前記枠部１８より枠部１８の外側方に突設されている。
【００８２】
そして、突設されている前記レバー軸２０と、他のレバー軸２０には、スプリング２１が捲廻されている。
【００８３】
さらに、前記の突設されているレバー軸２０には、ハンドル２０ａが取着されている。
【００８４】
前記のような構成部材によって構成された蓋開閉桟構１９につき説明する。
【００８５】
前記ハンドル２０ａをつかみ右廻しにすると、前記レバー軸２０に軸着されている蓋体１７と、前記レバー軸２０に接続されている接続部２０ｂによって他方の蓋体１６が閉じている状態から図６に図示するように左右両サイドに展開される。
【００８６】
さらに、前記ハンドル２０ａをつかみ左廻しにすると、図５に図示するように閉じた状態となる。
【００８７】
本発明は、前記蓋体１６、１７の何れか一方もしくは両方の内側に子袋２２を取外し自在に取着する。この子袋２２は通常合成樹脂製のものを使用するが限定しない。そして前記子袋２２には生ごみ類を入れる。
【００８８】
実施例の１の各構成部材の組立て手法について説明する。
【００８９】
本発明の合成樹脂製収納容器Ａは、図１に図示されているように２つの半截状容体ａ、ｂの底部６、６の底側接続部１２、１２同士を接続せしめくみたてる（図１）。
【００９０】
前記のようにして、組立てられると、開口側接続部１１、１１がお互いに接続する。
【００９１】
その際各底部６、６の底面に形成されている脚部１３、１３によって、開口部の開くと閉じるの優先度合を設定することができる。閉じるのを重要とする場合は、前記２つの半截状容体ａ、ｂは、左端縁部２と右端縁部３とが各々の重心の真下より、いくらか外側の適度な位置とし、自重によって自然に合わさり組立てられる（図４、５）。
【００９２】
前記のようにして組立てられた合成樹脂製容器Ａ内に、合成樹脂製袋ｃを挿入し、挿入後は広げ展開してやる。
【００９３】
その際、前記合成樹脂製袋ｃの引掛け部７ａ、７ａは、フック９、１０の何れか一方のフックに引掛ける。
【００９４】
つぎに、合成樹脂製袋ｃを構成する一方の綴代７は、よじって適度に引張り、２個所の中、１箇所の切込み部８に外側方に飛出するように引掛け係止させ、次に他方の切込み部８に図２に図示するように、外側方から内側方に引掛け係止させる。
【００９５】
上方の一方の綴代７に対し、他方の綴代７に対しても、他方の半截状容体ｂに形成されている２つの切込み部８に引掛け係止せしめる。
【００９６】
前記フック９、１０が高さが異なって形成されているので、前記引掛け部７ａ、７ａの長さに応じて引掛けられるように、段差を設けたので、サイズの異なる合成樹脂製袋ｃに対応できる利便がある。
【００９７】
さらに、前記切込み部８に引掛け係止された綴代７は、前記合成樹脂製袋ｃ内に、例えばごみ類が大量に投入されたとしても、強固にくくり付けられているので、大量のごみ類の荷重によって、不意に離脱したりしない利点がある。
【００９８】
つぎに、合成樹脂製収納容器Ａに広げて挿入されている物品もしくはごみが挿入されている袋ｃを取出すには、フック９、１０及び切込み部８、８から前記袋ｃの引掛け部７ａ、７ａと綴代７、７を外してやる。
【００９９】
つぎに袋ｃの引掛け部７ａ、７ａを手指でつかみ上方に引き上げてやると、前記袋ｃ内に挿入される物品もしくはごみによって押され底部６、６の底側接続部１２、１２が支点となって、前記収納容器Ａを構成している２つの半截状容体ａ、ｂの上方開口部５、５が開き、さらに前記袋ｃを引き上げると袋ｃは完全に収納容器Ａから取出すことができる。
【０１００】
前記袋ｃが取出された前記収納容器Ａは、両半截状容体ａ、ｂの底側接続部１２、１２を支点にして閉じられる。
【０１０１】
つぎに蓋体１６、１７の使用について説明する。
【０１０２】
図４、５、６、７に図示されているように、収納容器Ａの開口部に嵌め込み使用する。
【０１０３】
前記ハンドル２０ａを右回転させると、レバー軸２０が回転して、装着されている蓋体１６、１７が図４の状態から図５、６、７に図示されているように展開する。
【０１０４】
つぎに前記蓋体１６、１７を閉じるときは、ハンドル２０ａを前記操作と反対方向に回転させる。その結果図４に図示されている状態に復元する。
【０１０５】
本発明は、収納容器Ａの蓋体１６、１７の何れか一方の蓋体か、もしくは両方の蓋体の内側部に子袋２２を取外し自在に装着する。前記子袋２２には、生ごみ類のみを収納して、生ごみ以外のごみ類との分別を図ることができる。
【０１０６】
さらに本発明は、囲み壁部１、１の中央部等に外側部等に外側方に突出する補強リブ２３を形成せしめる。その結果、両半截状容体ａ、ｂの強度が著増して、収納容器Ａの製品寿命を延長できる利点がある。
【０１０７】
（実施例の２）
本発明の実施例の２の線材製収納容器について説明する。
【０１０８】
図において、Ｂは実施例の２の該収納容器であり以下の構成からなっている。
【０１０９】
すなわち前記収納容器Ｂは、線材製の２つの対称的な半截状容体ｄ、ｅを対向状にして接続し組立てる。
【０１１０】
前記半截状容体ｄ、ｅは、前記半截状容体ｄ、ｅを構成する囲み壁部１ａの左端縁部２ａと右端縁部３ａ間には内側開口部４ａが形成され、前記囲み壁部１ａの上方部には上方開口部５ａが且つ下方部には底部６ａ及び脚部１３ａが夫々形成され、上方開口部５ａには合成樹脂製袋ｃの綴代７ａを引掛け係止する切込み部８ａが形成され、前記囲み壁部１ａの左端縁部２ａと右端縁部３ａの外側近傍にはフック９ａ、１０ａを、前記左端縁部２ａと右端縁部３ａに安全接続パイプ１１ｂ、１１ｂを形成せしめる。
【０１１１】
さらに、前記囲み壁部１ａの底部６ａには底側接続部１２ａ、１２ａを形成せしめ、前記底側接続部１２ａ、１２ａが組立接続されると、前記２つの対称的な半截状容体ｄ、ｅの内側開口部４ａが対向し前記半截状容体ｄ、ｅの安全接続パイプ１１ｂ、１１ｂが接続し組立てられる。
【０１１２】
前記のようにして、組立てられた収納容器Ｂ内にセットされた合成樹脂製袋ｃに種々の物品もしくはごみ類が投入された後、前記合成樹脂製袋ｃを取出すと前記２つの半截状容体ｄ、ｅが、前記底側接続部１２ａ、１２ａを支点に外側方向に展開する。
【０１１３】
本発明は、さらに前記半截状容体ｄ、ｅの底部６ａの重心の真下又は外側又は内側の適度な位置に、脚部１３ａを設けることで、ごみ袋を取り出す時、接続部１２ａを支点として脚部１３ａが内側に動き取出した後自重により復元する。
【０１１４】
（第２実施例の収納容器の組立）
前記第２実施例の収納容器Ｂの組立てについて説明する。
【０１１５】
この収納容器Ｂは、半截状容体ｄ、ｅを対向せしめて底側接続部１２ａ、１２ａを図８に図示されているように、ボルトを貫通せしめナットを螺着する。
【０１１６】
その際安全接続パイプ１１ｂ、１１ｂを嵌合すれば、図９に図示されているように、収納容器Ｂが組立てられる。
【０１１７】
つぎに、前記のように第２実施例の収納容器Ｂが組立てられたら、図１のように前記収納容器Ｂ内に合成樹脂製袋ｃを挿入せしめ広げてやる。
【０１１８】
その後、合成樹脂製袋ｃの綴代７ａを切込み部８ａに引掛け係止する。前記引掛け係止の手法は、実施例の１の収納容器Ａのケースと同様なので、その具体的説明は省略した。
【０１１９】
さらに、合成樹脂製袋ｃの引掛け部７ａは、フック９ａ、１０ａの中、何れか一方のフックに引掛けてやる。
【０１２０】
その結果、前記合成樹脂製袋ｃには、図１に図示されている袋ｃと同様に、袋ｃの上方開口部が開かれて、物品もしくはごみ類が容易に挿入できる。
【０１２１】
前記第２実施例の収納容器Ｂは、半截状容体ｄ、ｅの底部６ａに脚部１３ａが、前記半截状容体ｄ、ｅが図８に図示されている状態、すなわち底側接続部１２ａ、１２ａがボルトとナットをかいして接続されると、前記半截状容体ｄ、ｅが内側開口部４ａ、４ａ同士が合致するように形成されている。
【０１２２】
前記のようにして、収納容器Ｂの半截状容体ｄ、ｅが合致したら、開口部１ａ、１１ａを接続せしめる。
【０１２３】
以上のような手順で第２実施例の収納容器Ｂが組立てられる。
【０１２４】
つぎに、前記第２実施例の収納容器Ｂ内に収納された袋ｃ内に物品もしくはごみ類が収納後、前記合成樹脂製袋ｃを取出す手法につき説明する。
【０１２５】
この袋ｃの取出し手法も、前記第１実施例の収納容器Ａのケースと全く同様なので、その具体的説明は省略する。
【０１２６】
以上、実施形態を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【０１２７】
Ａ        収納容器
Ｂ        収納容器
ａ        半截状容体
ｂ        半截状容体
ｃ        袋
ｄ        半截状容体
ｅ        半截状容体
１        囲み壁部
１ａ      囲み壁部
２        左端縁部
２ａ      左端縁部
３        右端縁部
３ａ      右端縁部
４        内側開口部
４ａ      内側開口部
５        上方開口部
５ａ      上方開口部
６        底部
６ａ      底部
７        綴代
７ａ      引掛け部
８        切込み部
８ａ      切込み部
９        フック
９ａ      フック
１０      フック
１０ａ    フック
１１      開口側接続部
１１ｂ    安全接続パイプ
１１ｃ    接続パイプ
１２      底側接続部
１２ａ    底側接続部
１３      脚部
１３ａ    脚部
１４      内側部
１５      外側部
１６      蓋体
１７      蓋体
１８      枠部
１９      桟構
２０      レバー軸
２０ａ    ハンドル
２０ｂ    接続部
２０ｃ    カムレバー
２１      スプリング
２２      子袋
２３      補強リブ
２５      補強ガイド
【図１】
2018012585.tif 000003
【図２】
2018012585.tif 000004
【図３】
2018012585.tif 000005
【図４】
2018012585.tif 000006
【図５】
2018012585.tif 000007
【図６】
2018012585.tif 000008
【図７】
2018012585.tif 000009
【図８】
2018012585.tif 000010
【図９】
2018012585.tif 000011
【図１０】
2018012585.tif 000012
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
２つの対称的な半截状容体を組立てた合成樹脂製袋体の収納容器及び合成樹脂製ごみ袋体の収納容器において、
前記半截状容体は、前記半截状容体を構成する囲み壁部の左端縁部と右端縁部間には内側開口部が形成され、前記囲み壁部の上方部には上方開口部が且つ下方部には底部及び脚部が夫々形成され、上方開口部には合成樹脂製袋の綴代をＵ字状に２ヶ所で引掛け係止する切込み部が形成され、前記囲み壁部の左端縁部と右端縁部の外側近傍にはフックを、前記左端縁部と右端縁部に開口側接続部を形成せしめ、前記囲み壁部の底部には底側接続部を形成せしめ、前記底側接続部が組立接続されると、前記２つの対称的な半截状容体の内側開口部が対向し前記半截状容体の開口側接続部が接続し組立てられると共に、組立てられた収納容器内にセットされた合成樹脂製袋に種々の物品もしくはごみ類が投入された後、前記合成樹脂製袋を取出すと前記２つの半截状容体が、前記底側接続部を支点に外側方向に展開し、脚部が内側方に動作し、前記合成樹脂製袋を出した後、自重により脚部が復元することを特徴とする合成樹脂製袋体の収納容器及び合成樹脂製ごみ袋体の収納容器。
【請求項２】
前記半截状容体の底部重心の下に脚部を設け開口及び自重により復元することを特徴とする請求項１に記載の合成樹脂製袋体の収納容器及び合成樹脂製ごみ袋体の収納容器。
【請求項３】
前記合成樹脂製袋体の収納容器及び合成樹脂製ごみ袋体の収納容器を構成する半截状容体の上方開口部に、蓋体が、蓋体を構成する枠部に装着せしめられている蓋開閉桟構によって開閉できるように嵌脱自在に付設されていることを特徴とする請求項１又は２に記載の合成樹脂製袋体の収納容器及び合成樹脂製ごみ袋体の収納容器。
【請求項４】
請求項３に記載の蓋体の蓋開閉桟構が、左右の蓋体をスプリングにより上下に振って開閉する働き並びにスプリングを取付けたレバー軸を枠部外側方向に突設せしめ、手動により設定された角度に開き止めることができることを特徴とする請求項３に記載の合成樹脂製袋体の収納容器及び合成樹脂製ごみ袋体の収納容器。
【請求項５】
前記切込み部が、前記囲み壁部の上部及び挿入側を広く、退出側を狭くＹ字状にて形成せしめ、２つ又は複数とし、Ｕ字状又はＳ字状にて引掛け係止することを特徴とする請求項１又は２又は３又は４に記載の合成樹脂製袋体の収納容器及び合成樹脂製ごみ袋体の収納容器。
【請求項６】
前記切込み部が、前記上方開口部より底部方向に、上方部の幅員を最初の幅員を広くし、次に狭くと、広くと狭くを交互に連続して形成せしめられることを特徴とする請求項１又は２又は３又は４又は５に記載の合成樹脂製袋体の収納容器及び合成樹脂製ごみ袋体の収納容器。
【請求項７】
前記フックが、複数形成されていることを特徴とする請求項１又は２又は３又は４又は５又は６に記載の合成樹脂製袋体の収納容器及び合成樹脂製ごみ袋体の収納容器。
【請求項８】
請求項３の蓋体の内側部に、子袋が取外し自在となっていることを特徴とする請求項４又は５又は６又は７に記載の合成樹脂製袋体の収納容器及び合成樹脂製ごみ袋体の収納容器。
【請求項９】
前記囲み壁部が、上方開口部から底部にかけて、外側方に突出する補強リブを形成せしめていることを特徴とする請求項１又は２又は３又は４又は５又は６又は７又は８に記載の合成樹脂製袋体の収納容器及び合成樹脂製ごみ袋体の収納容器。
【請求項１０】
２つの対称的な半截状容体を組立てた合成樹脂製袋体の収納容器及び合成樹脂製ごみ袋体の収納容器において、
前記半截状容体が、前記半截状容体を構成する囲み壁部の左端縁部と右端縁部間には内側開口部が形成され、前記囲み壁部の上方部には上方開口部が且つ下方部には底部及び脚部が夫々形成され、上方開口部には合成樹脂製袋の綴代を引掛け係止する切込み部が形成され、前記囲み壁部の左端縁部と右端縁部の外側近傍にはフックを、前記左端縁部と右端縁部に開口側接続部を形成せしめ、前記囲み壁部の底部には底側接続部を形成せしめ、前記底側接続部が組立接続されると、前記２つの対称的な半截状容体の内側開口部が対向し前記半截状容体の開口側接続部が接続し組立てられると共に、組立てられた収納容器内にセットされた合成樹脂製袋に種々の物品もしくはごみ類が投入された後、前記合成樹脂製袋を取出すと前記２つの半截状容体が、前記底側接続部を支点に外側方向に展開し、同時に脚部も動作し、合成樹脂製袋を取り出した後は、自重により脚部が復元することを特徴とする合成樹脂製袋体の収納容器及び合成樹脂製ごみ袋体の収納容器。
【請求項１１】
前記半截状容体の底部の重心の真下の適度な位置に、脚部を設けることを特徴とする請求項１０に記載の合成樹脂製袋体の収納容器及び合成樹脂製ごみ袋体の収納容器。
【請求項１２】
前記切込み部が、上部及び挿入側を広く、退出側を狭くＶ字状にて形成せしめ、２つ前記切込み部が、上部及び挿入側を広く、退出側を狭くＶ字状にて形成せしめ、２つ又は複数とし、Ｕ字状又はＳ字状にて引掛け係止することを特徴とする請求項１０又は１１に記載の合成樹脂製袋体の収納容器及び合成樹脂製ごみ袋体の収納容器。
【請求項１３】
前記半截状容器の底部に開口接続パイプ又はチューブを設けたことを特徴とする請求項１０又は１１又は１２に記載の合成樹脂製袋体の収納容器及び合成樹脂製ごみ袋体の収納容器。
【手続補正２】
【補正対象書類名】明細書
【補正対象項目名】全文
【補正方法】変更
【補正の内容】
【発明の詳細な説明】
【技術分野】
【０００１】
本発明は、合成樹脂製袋体の収納容器及び合成樹脂製ごみ袋体の収納容器の分野に関するものである。
【背景技術】
【０００２】
従来、分別袋掛用ごみ箱として実用新案登録第３１０２９６８号公報（特許文献１）が開示されている。
【０００３】
この公報に記載されている分別袋掛用ごみ箱は、上部に一つ以上の袋掛フック１を有する、凹面形状をしたパネル２、３を２枚、向かい合わせに組み合わせ、側面左右下端に一つの回転軸７を設けて結合、若しくは一つの回転軸７を設けフレームを介して前後パネル２、３を固定し、その回転軸７位置を側面中央より手前に設け、且つ回転軸７周りにスプリング８等の弾性材料を用い、パネル２、３を閉じる方向に作用させて袋が直接目に入らないようにした分別用袋掛けごみ箱で、手前パネル下端に踏込みペダル５を設けた分別袋掛用ごみ箱である。
【０００４】
上記分別袋掛用ごみ箱は、第１に、ごみ収納袋の取手部分だけが袋掛フック１に引掛けられているだけで綴代を引掛けることができない構造をしている。
【０００５】
第２として、同上のごみ箱は、前後パネル２、３の上方開口部を開くには、前後パネル２、３の下方底部に設けられているペダル５、５を足で踏まなければならない構造である。
【０００６】
第３として、前記ごみ箱は、前記袋が該袋内に大量のごみ類が収納された後、前後パネル２、３から袋を取り出すには、ペダル５を足で踏まないと取出しができない構造である。
【０００７】
第４として、前記ごみ箱は、前後パネル２、３に補強用リブが設けられていない構造である。
【０００８】
第５に、前記ごみ箱は、前後パネル２、３の上方部には、ごみを投入するための開口部が設けられていない構造である。
【０００９】
第６として、前記ごみ箱は、前後パネル２、３の側面左右下端に一つの回転軸７を設け、該軸７の周りにスプリング８等の弾性材料を用いて、パネルを閉じる方向に作用させること、ペダル５の踏込時にはパネル下端を接地支点にして開閉する複雑な構造である。
【００１０】
第７として、前記ごみ箱は、前後パネル２、３の対向する側面開口部に前後パネル２、３を接続させる接続桟構がない。
【先行技術文献】
【特許文献】
【００１１】
【特許文献１】実用新案登録第３１０２９６８号公報
【発明の概要】
【発明が解決しようとする課題】
【００１２】
本発明が解決しようとする課題は以下のとおりである。
【００１３】
第１に、本発明は、合成樹脂製袋体の収納容器及び合成樹脂製ごみ袋体の収納容器内に挿入せしめられた合成樹脂製袋もしくは合成樹脂製ごみ袋の左右両サイドにして、且つ対向する取手部と、対向する綴代が、確実に引掛けられ、殊に前記綴代が前記袋内に種々の物品もしくはごみ類が投入されても、前記収納容器から離脱することなく、強固に引掛る構造とした。
【００１４】
第２に、本発明は、半截状容体を左右対称とすることによって、１個の金型で製造することができるようにして、金型代を節約することができると共に、該収納容器の製造費を節減して安価に製造することができるようにした。
【００１５】
第３に、本発明は、２つの半截状容体を積重し空間占拠率を小さくして収納箱をコンパクトにした。そのため運賃を節減せしめた。
【００１６】
第４に、本発明は、２つの対称的な半截状容体が組立てられると、組立てられた収納容器が自重で閉じる構造にすると共に、前記収納容器内に挿入された袋内にごみ類等が投入された後、袋を収納容器から取出そうとして、取手部と綴代を外し、前記袋を取出すと、２つの半截状容体が外側方に開き袋を極めて容易に前記収納容器から取り出すことができるようにした。
【００１７】
第５に、本発明は、合成樹脂製袋の対向する綴代が切込み部にＵターン状に挿込むことができるようにして、収納容器内にセットされた際に、前記袋内に種々の物品もしくはごみ類が投入され重くなったとしても、離脱したりしない構造とした。
【００１８】
第６に、本発明は、対称的な半截状容体の中央部にして、且つ上方開口部から底部にかけて外側方に突出する補強リブを形成して、容体の強度を図った。
【００１９】
第７に、本発明は、組立てた収納容器の上方開口部に蓋開閉桟構付き蓋体を設けて外観上の美感を確保せしめると共に、レバーハンドルにより蓋体を設定された角度に止め、いくらか開いた下向、密封する横向、大きく開く上向等、使用の度合により変えられる構造とした。
【００２０】
第８に、本発明は、蓋体の裏面部に合成樹脂製子袋を着脱自在に取付けて生ごみ類を収納せしめると共に、容器内にセットされる合成樹脂製袋内に一般ごみと生ごみとの分別を図り、且つ衛生面にも考慮した。
【００２１】
第９に、本発明は、対称的な半截状容体の外側近傍の囲み壁部に、フックを複数突設せしめて、合成樹脂製袋のサイズ違いにも十分対応せしめた。
【００２２】
第１０に、本発明は、対称的な半截状容体の底部に脚部を突設せしめることによって、合成樹脂製袋を収納容器から取り出そうとして引き上げると、収納されている諸々の物品もしくはごみ類の拡張によって袋が膨張し、前記袋の持ち上げ時に対称的な半截状容体の内側部を押して前記半截状容体を外側方に展開し取出し作業をスムーズにせしめると共に、前記袋が取出された後は、自動的に閉じるようにした。
【課題を解決するための手段】
【００２３】
課題を解決するための手段として、請求項１に記載の発明は、２つの対称的な半截状容体ａ、ｂを組立てた合成樹脂製袋体の収納容器及び合成樹脂製ごみ袋体の収納容器Ａにおいて、
前記半截状容体ａ、ｂは、前記半截状容体ａ、ｂを構成する囲み壁部１の左端縁部２と右端縁部３間には内側開口部４が形成され、前記囲み壁部１の上方部には上方開口部５が且つ下方部には底部６及び脚部１３が夫々形成され、上方開口部５には合成樹脂製袋ｃの綴代７をＵ字状に２ヶ所で引掛け係止する切込み部８が形成され、前記囲み壁部１の左端縁部２と右端縁部３の外側近傍にはフック９、１０を、前記左端縁部２と右端縁部３に開口側接続部１１、１１を形成せしめ、前記囲み壁部１の底部６には底側接続部１２、１２を形成せしめ、前記底側接続部１２、１２が組立接続されると、前記２つの対称的な半截状容体ａ、ｂの内側開口部４が対向し前記半截状容体ａ、ｂの開口側接続部１１、１１が接続し組立てられると共に、組立てられた収納容器Ａ内にセットされた合成樹脂製袋ｃに種々の物品もしくはごみ類が投入された後、前記合成樹脂製袋ｃを取出すと前記２つの半截状容体ａ、ｂが、前記底側接続部１２、１２を支点に外側方向に展開し、脚部１３が内側方に動作し、前記合成樹脂製袋を出した後、自重により脚部１３が復元することを特徴とする合成樹脂製袋体の収納容器及び合成樹脂製ごみ袋体の収納容器である。
【００２４】
課題を解決するための手段として、請求項２に記載の発明は、前記半截状容体ａ、ｂの底部６重心の下に脚部１３を設け開口及び自重により復元することを特徴とする請求項１に記載の合成樹脂製袋体の収納容器及び合成樹脂製ごみ袋体の収納容器である。  
【００２５】
課題を解決するための手段として、請求項３に記載の発明は、前記合成樹脂製袋体の収納容器及び合成樹脂製ごみ袋体の収納容器Ａを構成する半截状容体ａ、ｂの上方開口部５、５に、蓋体１６、１７が、蓋体１６、１７を構成する枠部１８に装着せしめられている蓋開閉桟構１９によって開閉できるように嵌脱自在に付設されていることを特徴とする請求項１又は２に記載の合成樹脂製袋体の収納容器及び合成樹脂製ごみ袋体の収納容器である。
【００２６】
課題を解決するための手段として、請求項４に記載の発明は、請求項３に記載の蓋体１６、１７の蓋開閉桟構１９は、左右の蓋体１６、１７をスプリング２１により上下に振って開閉する働き並びにスプリング２１を取付けたレバー軸２０を枠部外側方向に突設せしめ、手動により設定された角度に開き止めることができることを特徴とする請求項３に記載の合成樹脂製袋体の収納容器及び合成樹脂製ごみ袋体の収納容器。
【００２７】
課題を解決するための手段として、請求項５に記載の発明は、前記切込み部８が、前記囲み壁部１の上部及び挿入側を広く、退出側を狭くＹ字状にて形成せしめ、２つ又は複数とし、Ｕ字状又はＳ字状にて引掛け係止することを特徴とする請求項１又は２又は３又は４に記載の合成樹脂製袋体の収納容器及び合成樹脂製ごみ袋体の収納容器である。
【００２８】
課題を解決するための手段として、請求項６に記載の発明は、前記切込み部８が、前記上方開口部５より底部６方向に、上方部の幅員を最初の幅員を広くし、次に狭くと、広くと狭くを交互に連続して形成せしめられることを特徴とする請求項１又は２又は３又は４又は５に記載の合成樹脂製袋体の収納容器及び合成樹脂製ごみ袋体の収納容器である。
【００２９】
課題を解決するための手段として、請求項７に記載の発明は、前記フック９、１０が、複数形成されていることを特徴とする請求項１又は２又は３又は４又は５又は６に記載の合成樹脂製袋体の収納容器及び合成樹脂製ごみ袋体の収納容器である。
【００３０】
課題を解決するための手段として、請求項８に記載の発明は、請求項３の蓋体１６、１７の内側部に、子袋２２が取外し自在となっていることを特徴とする請求項１又は２又は３又は４又は５又は６又は７に記載の合成樹脂製袋体の収納容器及び合成樹脂製ごみ袋体の収納容器である。
【００３１】
課題を解決するための手段として、請求項９に記載の発明は、前記囲み壁部１、１が、上方開口部５から底部６にかけて、外側方に突出する補強リブ２３を形成せしめていることを特徴とする請求項１又は２又は３又は４又は５又は６又は７又は８に記載の合成樹脂製袋体の収納容器及び合成樹脂製ごみ袋体の収納容器である。
【００３２】
課題を解決するための手段として、請求項１０に記載の発明は、２つの対称的な半截状容体ｄ、ｅを組立てた合成樹脂製袋体の収納容器及び合成樹脂製ごみ袋体の収納容器Ｂにおいて、
前記半截状容体ｄ、ｅが、前記半截状容体ｄ、ｅを構成する囲み壁部１ａの左端縁部２ａと右端縁部３ａ間には内側開口部４ａが形成され、前記囲み壁部１ａの上方部には上方開口部５ａが且つ下方部には底部６ａ及び脚部１３ａが夫々形成され、上方開口部５ａには合成樹脂製袋ｃの綴代７ａを引掛け係止する切込み部８ａが形成され、前記囲み壁部１ａの左端縁部２ａと右端縁部３ａの外側近傍にはフック９ａ、１０ａを、前記左端縁部２ａと右端縁部３ａに開口側接続部１１ａ、１１ａを形成せしめ、前記囲み壁部１ａの底部６ａには底側接続部１２ａ、１２ａを形成せしめ、前記底側接続部１２ａ、１２ａが組立接続されると、前記２つの対称的な半截状容体ｄ、ｅの内側開口部４ａが対向し前記半截状容体ｄ、ｅの開口側接続部１１ａ、１１ａが接続し組立てられると共に、組立てられた収納容器Ｂ内にセットされた合成樹脂製袋ｃに種々の物品もしくはごみ類が投入された後、前記合成樹脂製袋ｃを取出すと前記２つの半截状容体ｄ、ｅが、前記底側接続部１２ａ、１２ａを支点に外側方向に展開し、同時に脚部１３ａも動作し、合成樹脂製袋ｃを取り出した後は、自重により脚部１３ａが復元することを特徴とする合成樹脂製袋体の収納容器及び合成樹脂製ごみ袋体の収納容器である。
【００３３】
課題を解決するための手段として、請求項１１に記載の発明は、前記半截状容体ｄ、ｅの底部６ａの重心の真下の適度な位置に、脚部１３ａを設けることを特徴とする請求項１０に記載の合成樹脂製袋体の収納容器及び合成樹脂製ごみ袋体の収納容器である。
【００３４】
課題を解決するための手段として、請求項１２に記載の発明は、前記切込み部８ａが、上部及び挿入側を広く、退出側を狭くＶ字状にて形成せしめ、２つ又は複数とし、Ｕ字状又はＳ字状にて引掛け係止することを特徴とする請求項１０又は１１に記載の合成樹脂製袋体の収納容器及び合成樹脂製ごみ袋体の収納容器である。
【００３５】
課題を解決するための手段として、請求項１３に記載の発明は、前記半截状容器ｄ、ｅの底部６ａに開口接続パイプ１１ｃ又はチューブを設けたことを特徴とする請求項１０又は１１又は１２に記載の合成樹脂製袋体の収納容器及び合成樹脂製ごみ袋体の収納容器である。
【発明の効果】
【００３６】
本発明の合成樹脂製袋体の収納容器及び合成樹脂製ごみ袋体の収納容器は、前記のとおりの構造を有しているので、該容器内に広げられ拡大した袋の取手部が、フックに確実に引掛けられ、且つ綴代が切込み部に引掛け係止されて、前記袋内に種々の物品もしくはごみ類が挿入されても、前記取手部及び綴代がフックもしくは引掛け部から離脱しない利点がある。
【００３７】
さらに、本発明の合成樹脂製袋体もしくは合成樹脂製ごみ袋体の収納容器は、２つの半截状容体が対称的な構造をしているので、金型は１個で足りる。そのため金型代を節減し製品を安価に製造することができる利点がある。
【００３８】
本発明の収納容器は、２つの半截状容体を積重することができるので、空間占拠率を小さくし、コンパクトにして収納箱に収納し搬送できる。そのため運賃が節減できる。
【００３９】
本発明の収納容器は、該容器内に広げられて挿入された袋内に種々の物品もしくはごみ類が挿入された後、フックと引掛け部の引掛け係止を解除し該袋を取出すだけで、該収納容器の底部の接続部を支点にして、２つの半截状容体の上方開口部同士が脚部及び接続部での開角度の設定により任意な位置とし、袋が極めて容易に引き出しができる。
【００４０】
さらに、本発明の収納容器は、前記袋の取出し後、２つの半截状容体の上方開口部が展開から自動的に復元する利点がある。
【００４１】
本発明の収納容器は、対向する半截状容体に切込み部が形成されているので、袋の綴代をＵターン状に挿込むことができる。そのため袋内に種々の物品やごみ類が投入され重くなっても容易に離脱したりしない利点がある。
【００４２】
本発明の収納容器は、半截状容体の中央部にして、且つ上方開口部から底部にかけて外側方及び内側に突出する補強リブ部を形成したので、該容体の強度を著しく高めることができた。
【００４３】
本発明の収納容器は、上方開口部に蓋体を着脱可能に設けたので、外観上の美感を確保せしめた。
【００４４】
本発明の収納容器は、蓋体の裏面部に生ごみ用子袋を着脱自在に取付けたので、生ごみ類と生ごみ以外の一般のごみ類と分別を図ることができると共に、衛生面にも考慮することができる。
【００４５】
本発明の収納容器は、半截状容体の囲み壁部の左端縁部と右端縁部の外側近傍にフックを複数突設したので、袋のサイズ違いに十分対応できるようにした。
【００４６】
本発明の収納容器は、半截状容体の底部に脚部を２つの容体が常時閉じた状態を確保するように突設せしめたので、袋が該容器内に開げられた状態で収納中は、２つの容体の対向側面部が密着し、いわゆる収納容器としての機能を発揮できる正常な状態を確保すると共に、復元できる機能を有している。
【図面の簡単な説明】
【００４７】
【図１】本発明の合成樹脂製袋体の収納容器及び合成樹脂製ごみ袋体の収納容器の稍展開している状態の斜視図である。
【００４８】
【図２】同図１の収納容器の要部の一部切欠拡大横断面図である。
【００４９】
【図３】同図１の収納容器の要部の一部切欠拡大正面図である。
【００５０】
【図４】同図１の収納容器の蓋体を被せた状態の斜視図である。
【００５１】
【図５】同図４の収納容器から蓋体を展開した状態の斜視図である。
【００５２】
【図６】同収納容器における被せた蓋体の一部切欠平面図である。
【００５３】
【図７】同図６における収納容器の蓋体の展開状態を示す側面図である。
【００５４】
【図８】同第２実施例の線材製収納容器の斜視図である。
【００５５】
【図９】同図８の収納容器の縦断正面図である。
【００５６】
【図１０】同図８の収納容器の一部切欠平面図である。
【発明を実施するための最良の形態】
【００５７】
本発明である請求項１〜１３に記載の発明に関する実施の形態は、共通しているので、以下のとおり一括して説明する。
【００５８】
（実施例の１）
図において、Ａは２つの対称的な半截状容体ａ、ｂを組立てた合成樹脂製袋体の合成樹脂製収納容器及び合成樹脂製ごみ袋体の合成樹脂製収納容器である。
【００５９】
実施例の１としての前記半截状容体ａ、ｂは、図１、３に図示されているように合成樹脂製にして、半截状容体が対称的な形状であるから１個の金型で形成できる。
【００６０】
さらに、前記半截状容体ａ、ｂは、通常平面からみてコ形状の囲み壁部１を有し、この囲み壁部１の左右両サイドに左端縁部２と右端縁部３が同一の長さにて延設されている。そして前記左端縁部２と右端縁部３の端面部は平面状にて形成されている。
【００６１】
４は前記囲み壁部１の左端縁部２と右端縁部３との間に形成された内側開口部である。
【００６２】
５は前記囲み壁部の上方部に形成された上方開口部である。
【００６３】
６は前記囲み壁部１の下方部に、囲み壁部１に対し、内側方に折曲形成された底部である。
【００６４】
本発明は、囲み壁部１の上方開口部５に、合成樹脂製袋ｃの綴代７を引掛け係止する切込み部８が複数形成されている。
【００６５】
さらに、前記切込み部８の形態は、図２、３に図示するように、第１に、前記囲み壁部１の内側部１４を広く、外側部１５を狭くするＶ形状にて形成せしめる。
【００６６】
他の実施例として、前記切込み部８の幅員は、第２の実施形態として、前記上方開口部５より底部６方向に、上方部の幅員を最初の幅員を広くし、次に狭くと、広くと狭くを交互に連続して形成せしめることもできる。
【００６７】
さらに、本発明の切込み部８の第３の実施形態として、前記第１、第２の実施形態を合体した構成にしたものでも良い。
【００６８】
前記切込み部８に対し、前記合成樹脂製袋ｃの綴代７を引掛け係止するときは、Ｕ字状又はＳ字状にて引掛け係止する。
【００６９】
図において、９及び１０は前記囲み壁部１の左端縁部２と右端縁部３の外側近傍の囲み壁部１に複数形成せしめた通常下向き形状のフックである。
【００７０】
該フック９、１０は、合成樹脂製袋ｃの引掛け部７ａが長くても短くても十分対応して引掛け使用することができるように形成した。通常片側に２個宛の計４個を設ける。
【００７１】
図において、１１、１１は前記半截状容体ａ、ｂを構成する左右両側方の囲み壁部１の左端縁部２と右端縁部３に夫々形成せしめた開口側接続部である。
【００７２】
前記左右両側方の開口側接続部１１、１１は、前記半截状容体ａ、ｂが組立てられる際に、嵌合する形状にて形成されている。
【００７３】
図において、１２、１２は、前記半截状容体ａ、ｂの囲み壁部１、１の底部６に形成せしめた底側接続部である。該底側接続部１２、１２は、前記半截状容体ａ、ｂが組立てられる際に、図１に図示するように相互に嵌め込み式にして、ピン等を挿込んで組立てるようにしてもよい。この底側接続部１２、１２に関する接続方式は、従来の慣用技術で足りるので、その具体的説明は省略する。
【００７４】
１３は前記半截状容体ａ、ｂの底部６の重心の真下又は外側又は内側に形成した脚部である。
【００７５】
前記の部位に脚部１３を形成することによって、開口部の開くと閉じるの優先度合を設定することができる。閉じるを重要とする場合は、前記半截状容体ａ、ｂ、左及び右端縁部の各々の重心の真下よりいくらか外側の適度な位置とし、自重により自然に合わさり組立てられる。
【００７６】
図において、２３は、前記囲み壁部１の上方開口部５から底部６にかけて、外側方に突出する補強リブであって、この補強リブ２３を設けることによって、囲み壁部１の強度は著しく高められる。２５は補強ガイドである。
【００７７】
図において、１６、１７は蓋体であって、以下の構成からなっている。
【００７８】
前記蓋体１６、１７は、枠部１８に装着の蓋開閉桟構１９を付設せしめ、組立てられると、左右は上下に振れ、開閉自在になっている。
【００７９】
さらに、前記蓋開閉桟構１９につき説明する。
【００８０】
この蓋開閉桟構１９は、蓋体１６、１７の裏面に装着せしめられているハンドル２０ａと、さらにレバー軸２０に接続する接続部２０ｂによって接続されている。２０ｃはカムレバーである。
【００８１】
さらに、前記ハンドル２０ａ及びレバー軸２０は、前記枠部１８より枠部１８の外側方に突設されている。
【００８２】
そして、突設されている前記レバー軸２０と、他のレバー軸２０には、スプリング２１が捲廻されている。
【００８３】
さらに、前記の突設されているレバー軸２０には、ハンドル２０ａが取着されている。
【００８４】
前記のような構成部材によって構成された蓋開閉桟構１９につき説明する。
【００８５】
前記ハンドル２０ａをつかみ右廻しにすると、前記レバー軸２０に軸着されている蓋体１７と、前記レバー軸２０に接続されている接続部２０ｂによって他方の蓋体１６が閉じている状態から図６に図示するように左右両サイドに展開される。
【００８６】
さらに、前記ハンドル２０ａをつかみ左廻しにすると、図５に図示するように閉じた状態となる。また図にはないが、下向にして、いくらか開き投げ入れるような使用も可能である。
【００８７】
本発明は、前記蓋体１６、１７の何れか一方もしくは両方の内側に子袋２２を取外し自在に取着する。この子袋２２は通常合成樹脂製のものを使用するが限定しない。そして前記子袋２２には生ごみ類を入れる。
【００８８】
実施例の１の各構成部材の組立て手法について説明する。
【００８９】
本発明の合成樹脂製収納容器Ａは、図１に図示されているように２つの半截状容体ａ、ｂの底部６、６の底側接続部１２、１２同士を接続せしめくみたてる（図１）。
【００９０】
前記のようにして、組立てられると、開口側接続部１１、１１がお互いに接続する。
【００９１】
その際各底部６、６の底面に形成されている脚部１３、１３によって、開口部の開くと閉じるの優先度合を設定することができる。閉じるのを重要とする場合は、前記２つの半截状容体ａ、ｂは、左端縁部２と右端縁部３とが各々の重心の真下より、いくらか外側の適度な位置とし、自重によって自然に合わさり組立てられる（図４、５）。
【００９２】
前記のようにして組立てられた合成樹脂製容器Ａ内に、合成樹脂製袋ｃを挿入し、挿入後は広げ展開してやる。
【００９３】
その際、前記合成樹脂製袋ｃの引掛け部７ａ、７ａは、フック９、１０の何れか一方のフックに引掛ける。
【００９４】
つぎに、合成樹脂製袋ｃを構成する一方の綴代７は、よじって適度に引張り、２個所の中、１箇所の切込み部８に外側方に飛出するように引掛け係止させ、次に他方の切込み部８に図２に図示するように、外側方から内側方に引掛け係止させる。
【００９５】
上方の一方の綴代７に対し、他方の綴代７に対しても、他方の半截状容体ｂに形成されている２つの切込み部８に引掛け係止せしめる。
【００９６】
前記フック９、１０が高さが異なって形成されているので、前記引掛け部７ａ、７ａの長さに応じて引掛けられるように、段差を設けたので、サイズの異なる合成樹脂製袋ｃに対応できる利便がある。
【００９７】
さらに、前記切込み部８に引掛け係止された綴代７は、前記合成樹脂製袋ｃ内に、例えばごみ類が大量に投入されたとしても、強固にくくり付けられているので、大量のごみ類の荷重によって、不意に離脱したりしない利点がある。
【００９８】
つぎに、合成樹脂製収納容器Ａに広げて挿入されている物品もしくはごみが挿入されている袋ｃを取出すには、フック９、１０及び切込み部８、８から前記袋ｃの引掛け部７ａ、７ａと綴代７、７を外してやる。
【００９９】
つぎに袋ｃの引掛け部７ａ、７ａを外し、綴代で綴じてからフック９、１０を外して上方に引き上げてやると、前記袋ｃ内に挿入される物品もしくはごみによって押され底部６、６の底側接続部１２、１２が支点となって、前記収納容器Ａを構成している２つの半截状容体ａ、ｂの上方開口部５、５が開き、さらに前記袋ｃを引き上げると袋ｃは完全に収納容器Ａから取出すことができる。
【０１００】
前記袋ｃが取出された前記収納容器Ａは、両半截状容体ａ、ｂの底側接続部１２、１２を支点にして閉じられる。
【０１０１】
つぎに蓋体１６、１７の使用について説明する。
【０１０２】
図４、５、６、７に図示されているように、収納容器Ａの開口部に嵌め込み使用する。
【０１０３】
前記ハンドル２０ａを右回転させると、レバー軸２０が回転して、装着されている蓋体１６、１７が図４の状態から図５、６、７に図示されているように展開する。
【０１０４】
つぎに前記蓋体１６、１７を閉じるときは、ハンドル２０ａを前記操作と反対方向に回転させる。その結果図４に図示されている状態に復元する。
【０１０５】
本発明は、収納容器Ａの蓋体１６、１７の何れか一方の蓋体か、もしくは両方の蓋体の内側部に子袋２２を取外し自在に装着する。前記子袋２２には、生ごみ類のみを収納して、生ごみ以外のごみ類との分別を図ることができる。
【０１０６】
さらに本発明は、囲み壁部１、１の中央部等に外側部等に外側方に突出する補強リブ２３を形成せしめる。その結果、両半截状容体ａ、ｂの強度が著増して、収納容器Ａの製品寿命を延長できる利点がある。
【０１０７】
（実施例の２）
本発明の実施例の２の線材製収納容器について説明する。
【０１０８】
図において、Ｂは実施例の２の該収納容器であり以下の構成からなっている。
【０１０９】
すなわち前記収納容器Ｂは、線材製の２つの対称的な半截状容体ｄ、ｅを対向状にして接続し組立てる。
【０１１０】
前記半截状容体ｄ、ｅは、前記半截状容体ｄ、ｅを構成する囲み壁部１ａの左端縁部２ａと右端縁部３ａ間には内側開口部４ａが形成され、前記囲み壁部１ａの上方部には上方開口部５ａが且つ下方部には底部６ａ及び脚部１３ａが夫々形成され、上方開口部５ａには合成樹脂製袋ｃの綴代７ａを引掛け係止する切込み部８ａが形成され、前記囲み壁部１ａの左端縁部２ａと右端縁部３ａの外側近傍にはフック９ａ、１０ａを、前記左端縁部２ａと右端縁部３ａに安全接続パイプ１１ｂ、１１ｂを形成せしめる。
【０１１１】
さらに、前記囲み壁部１ａの底部６ａには底側接続部１２ａ、１２ａを形成せしめ、前記底側接続部１２ａ、１２ａが組立接続されると、前記２つの対称的な半截状容体ｄ、ｅの内側開口部４ａが対向し前記半截状容体ｄ、ｅの安全接続パイプ１１ｂ、１１ｂが接続し組立てられる。
【０１１２】
前記のようにして、組立てられた収納容器Ｂ内にセットされた合成樹脂製袋ｃに種々の物品もしくはごみ類が投入された後、前記合成樹脂製袋ｃを取出すと前記２つの半截状容体ｄ、ｅが、前記底側接続部１２ａ、１２ａを支点に外側方向に展開する。
【０１１３】
本発明は、さらに前記半截状容体ｄ、ｅの底部６ａの重心の真下又は外側又は内側の適度な位置に、脚部１３ａを設けることで、ごみ袋を取り出す時、接続部１２ａを支点として脚部１３ａが内側に動き取出した後自重により復元する。
【０１１４】
（第２実施例の収納容器の組立）
前記第２実施例の収納容器Ｂの組立てについて説明する。
【０１１５】
この収納容器Ｂは、半截状容体ｄ、ｅを対向せしめて底側接続部１２ａ、１２ａを図８に図示されているように、ボルトを貫通せしめナットを螺着する。
【０１１６】
その際安全接続パイプ１１ｂ、１１ｂを嵌合すれば、図９に図示されているように、収納容器Ｂが組立てられる。
【０１１７】
つぎに、前記のように第２実施例の収納容器Ｂが組立てられたら、図１のように前記収納容器Ｂ内に合成樹脂製袋ｃを挿入せしめ広げてやる。
【０１１８】
その後、合成樹脂製袋ｃの綴代７ａを切込み部８ａに引掛け係止する。前記引掛け係止の手法は、実施例の１の収納容器Ａのケースと同様なので、その具体的説明は省略した。
【０１１９】
さらに、合成樹脂製袋ｃの引掛け部７ａは、フック９ａ、１０ａの中、何れか一方のフックに引掛けてやる。
【０１２０】
その結果、前記合成樹脂製袋ｃには、図１に図示されている袋ｃと同様に、袋ｃの上方開口部が開かれて、物品もしくはごみ類が容易に挿入できる。
【０１２１】
前記第２実施例の収納容器Ｂは、半截状容体ｄ、ｅの底部６ａに脚部１３ａが、前記半截状容体ｄ、ｅが図８に図示されている状態、すなわち底側接続部１２ａ、１２ａがボルトとナットをかいして接続されると、前記半截状容体ｄ、ｅが内側開口部４ａ、４ａ同士が合致するように形成されている。
【０１２２】
前記のようにして、収納容器Ｂの半截状容体ｄ、ｅが合致したら、開口部１ａ、１１ａを接続せしめる。
【０１２３】
以上のような手順で第２実施例の収納容器Ｂが組立てられる。
【０１２４】
つぎに、前記第２実施例の収納容器Ｂ内に収納された袋ｃ内に物品もしくはごみ類が収納後、前記合成樹脂製袋ｃを取出す手法につき説明する。
【０１２５】
この袋ｃの取出し手法も、前記第１実施例の収納容器Ａのケースと全く同様なので、その具体的説明は省略する。
【０１２６】
以上、実施形態を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【０１２７】
Ａ        収納容器
Ｂ        収納容器
ａ        半截状容体
ｂ        半截状容体
ｃ        袋
ｄ        半截状容体
ｅ        半截状容体
１        囲み壁部
１ａ      囲み壁部
２        左端縁部
２ａ      左端縁部
３        右端縁部
３ａ      右端縁部
４        内側開口部
４ａ      内側開口部
５        上方開口部
５ａ      上方開口部
６        底部
６ａ      底部
７        綴代
７ａ      引掛け部
８        切込み部
８ａ      切込み部
９        フック
９ａ      フック
１０      フック
１０ａ    フック
１１      開口側接続部
１１ｂ    安全接続パイプ
１１ｃ    接続パイプ
１２      底側接続部
１２ａ    底側接続部
１３      脚部
１３ａ    脚部
１４      内側部
１５      外側部
１６      蓋体
１７      蓋体
１８      枠部
１９      桟構
２０      レバー軸
２０ａ    レバーハンドル
２０ｂ    接続部
２０ｃ    カムレバー
２１      スプリング
２２      子袋
２３      補強リブ
２５      補強ガイド